(57)【要約】【課題】バッテリの消費量を抑えつつ口腔内の咬合状態を送信すること。【解決手段】マウスピース１０は、バッテリ４０によって駆動する。センシング部２０は、センサ２００−１〜２００−ｎから構成され、被験者の咬合状態を検出する。送信タイミング設定部３１は、センシング部２０が検出した咬合状態に基づいて、データ送信タイミングを設定する。送信部３３は、送信タイミング設定部３１が定めたデータ送信タイミングに基づいて、センシング部２０が検出した咬合状態を送信する。【選択図】図２
2016010660.tif 000002
【特許請求の範囲】
【請求項１】
バッテリによって駆動する口腔用測定装置であって、
１つ以上のセンサから構成され、被験者の咬合状態を検出するセンシング部と、
前記センシング部が検出した咬合状態に基づいて、データ送信タイミングを設定する送信タイミング設定部と、
前記送信タイミング設定部が定めたデータ送信タイミングに基づいて、前記センシング部が検出した咬合状態を送信する送信部と、
を備える口腔用測定装置。
【請求項２】
前記送信タイミング設定部は、所定の送信ルールが規定されたテーブルと、前記咬合状態と、を比較することにより前記データ送信タイミングを設定する、
ことを特徴とする請求項１に記載の口腔用測定装置。
【請求項３】
前記送信タイミング設定部は、前記センシング部が検出した咬合状態に加えて、前記口腔用測定装置の有するバッテリの残量を考慮して前記データ送信タイミングを設定する、
ことを特徴とする請求項１または請求項２に記載の口腔用測定装置。
【請求項４】
前記口腔用測定装置は、前記バッテリの残量が所定値以下となった場合に報知する、
ことを特徴とする請求項３に記載の口腔用測定装置。
【請求項５】
前記送信タイミング設定部は、所定時間連続して送信が行われなかった場合に前記送信部に送信処理を行わせるように制御する、
ことを特徴とする請求項１〜４のいずれか１項に記載の口腔用測定装置。
【請求項６】
前記送信タイミング設定部は、前記センシング部が検出した咬合状態に加えて、前記データ送信タイミングの設定にかかる動作モードを考慮して前記データ送信タイミングを設定する、
ことを特徴とする請求項１〜５のいずれか１項に記載の口腔用測定装置。
【請求項７】
前記送信タイミング設定部は、所定の咬み合せパターンを検出した場合、前記データ送信タイミングの設定にかかる動作モードを変更する、
ことを特徴とする請求項６に記載の口腔用測定装置。
【請求項８】
前記送信部は、所定ルールに従って送信済みとなった前記咬合状態のデータを前記口腔用測定装置内から削除する、
ことを特徴とする請求項１〜７のいずれか１項に記載の口腔用測定装置。
【請求項９】
バッテリによって駆動する口腔用測定装置に実行させるためのプログラムであって、
コンピュータに、
被験者の咬合状態を検出するセンシング部が検出した咬合状態に基づいて、データ送信タイミングを設定する送信タイミング設定ステップと、
前記送信タイミング設定ステップにおいて定めたデータ送信タイミングに基づいて、前記センシング部が検出した咬合状態を送信する送信ステップと、
を実行させるためのプログラム。
【請求項１０】
バッテリによって駆動する口腔用測定装置と、咬合評価装置と、を備え、
前記口腔用測定装置は、
１つ以上のセンサから構成され、被験者の咬合状態を検出するセンシング部と、
前記センシング部が検出した咬合状態に基づいて、データ送信タイミングを設定する送信タイミング設定部と、
前記送信タイミング設定部が定めたデータ送信タイミングに基づいて、前記センシング部が検出した咬合状態を前記咬合評価装置に送信する送信部と、を備え、
前記咬合評価装置は、前記口腔用測定装置から受信した前記咬合状態の評価処理を行う、
咬合評価システム。
【発明の詳細な説明】
【技術分野】
【０００１】
本発明は口腔用測定装置、咬合評価システム、及びプログラムに関する。
【背景技術】
【０００２】
歯科やリハビリテーション科の領域をはじめとして、被験者の咬み合せの状態を測定することが広く行われている。被験者の咬み合せの状態を把握したい場合、被験者に銀箔を咬み合せてもらう方法や口咬力測定装置を用いることが従来行われていた。
【０００３】
しかしながら銀箔を使う方法や口咬力測定装置を用いる方法は、被験者にとって手間がかかり、かつ時間もかかってしまう。そこで無線機能を有する口腔用装置が提案されている。
【０００４】
特許文献１には、圧力センサが表面に設けられ、圧力センサによって取得した圧力値や咀嚼回数を無線通信モジュールで送信するマウスピースが開示されている。特許文献２には、体温等のデータを取得して無線方式で医療センタ等に送信するマウスピースが開示されている。
【先行技術文献】
【特許文献】
【０００５】
【特許文献１】特開２０１３−１９２８６５号公報
【特許文献２】特開２００４−１６７１２０号公報
【０００６】
【非特許文献１】[平成２６年６月２０日検索]、インターネット<URL: http://www.izumi-shika-iin.jp/qa/qa004.html>
【発明の概要】
【発明が解決しようとする課題】
【０００７】
ところでマウスピースをはじめとする口腔用装置は、小型の装置である。そのため当該口腔用装置は、大容量のバッテリを搭載することが難しい。一般的に無線通信処理は、バッテリ消費量の大きい処理である。しかしながら特許文献１及び２には、いずれもバッテリの消費に関する示唆や教示がない。そのため、従来の技術では咬合状態の無線送信によってバッテリ消費量が大きくなってしまい、長期間安定して咬合状態をモニタリングすることが困難であるという課題があった。
【０００８】
本発明は上述の課題に鑑みてなされたものであり、バッテリの消費量を抑えつつ口腔内の咬合状態を送信することができる口腔用測定装置、咬合評価システム、及びプログラムを提供することを主たる目的とする。
【課題を解決するための手段】
【０００９】
本発明にかかる口腔用測定装置の一態様は、
バッテリによって駆動する口腔用測定装置であって、
１つ以上のセンサから構成され、被験者の咬合状態を検出するセンシング部と、
前記センシング部が検出した咬合状態に基づいて、データ送信タイミングを設定する送信タイミング設定部と、
前記送信タイミング設定部が定めたデータ送信タイミングに基づいて、前記センシング部が検出した咬合状態を送信する送信部と、
を備える、ものである。
【００１０】
本発明にかかるプログラムの一態様は、
バッテリによって駆動する口腔用測定装置に実行させるためのプログラムであって、
コンピュータに、
被験者の咬合状態を検出するセンシング部が検出した咬合状態に基づいて、データ送信タイミングを設定する送信タイミング設定ステップと、
前記送信タイミング設定ステップにおいて定めたデータ送信タイミングに基づいて、前記センシング部が検出した咬合状態を送信する送信ステップと、
を実行させるためのものである。
【００１１】
本発明にかかる咬合評価システムの一態様は、
バッテリによって駆動する口腔用測定装置と、咬合評価装置と、を備え、
前記口腔用測定装置は、
１つ以上のセンサから構成され、被験者の咬合状態を検出するセンシング部と、
前記センシング部が検出した咬合状態に基づいて、データ送信タイミングを設定する送信タイミング設定部と、
前記送信タイミング設定部が定めたデータ送信タイミングに基づいて、前記センシング部が検出した咬合状態を前記咬合評価装置に送信する送信部と、を備え、
前記咬合評価装置は、前記咬合状態の評価処理を行う、ものである。
【００１２】
本発明では、咬合状態を評価し、その評価に従ってデータ送信タイミングを定めている。これにより、必要最小限のデータ送信が行われることになり、バッテリの消耗を最小限に抑えることができる。
【発明の効果】
【００１３】
本発明は、バッテリの消費量を抑えつつ口腔内の咬合状態を送信することができる口腔用測定装置、咬合評価システム、及びプログラムを提供することができる。
【図面の簡単な説明】
【００１４】
【図１】実施の形態１にかかるマウスピース１０の外観構成を示す図である。
【図２】実施の形態１にかかる咬合評価システム１の構成を示すブロック図である。
【図３】実施の形態１にかかるセンサ２００−１〜２００−１６が検出する咬合状態を示す図である。
【図４】実施の形態１にかかる記憶部３２に記憶された送信ルールテーブルである。
【図５】実施の形態１にかかる咬合評価装置５０の表示する評価結果の画面を示す図である。
【図６】実施の形態１にかかる咬み合せパターンと動作モードとの関係の一例を示す図である。
【図７】実施の形態１にかかるバッテリ４０の残量とデータ送信タイミングの違いの関係を示す図である。
【発明を実施するための形態】
【００１５】
＜実施の形態１＞
以下、図面を参照して本発明の実施の形態について説明する。図１は、本実施の形態にかかるマウスピース１０の外観構成を示す略図である。図１においては、歯型等については簡略的に示している。なおマウスピース１０は、被験者の下歯に装着されるものを図示しているが、同様の構成により上歯に装着されるものとしてもよい。またマウスピース１０は、口腔内に装着される口腔用測定装置の一例である。口腔用測定装置としては、他に所謂入れ歯のようなデバイス等も考えられる。
【００１６】
図示するようにマウスピース１０は、咬合面に複数のセンサ（２００−１〜２００−ｎ）が設けられている。またマウスピース１０は、内部にマイクロコンピュータ３０を有している。マウスピース１０は、嚥下障害の検出や分析、リハビリテーションの効果確認、口腔内の治療等の効果確認、等の広い用途で用いられる。
【００１７】
図２は、本実施の形態にかかる咬合評価システムの構成を示すブロック図である。咬合評価システム１は、マウスピース１０と咬合評価装置５０を備える。咬合評価装置５０は、例えば大容量の記憶ストレージを有するサーバ装置であり、マウスピース１０から送信されたデータを受信、記憶、及び評価する。
【００１８】
マウスピース１０は、咬合面に設けられたセンサ２００−１〜２００−ｎ（ｎは２以上の自然数）から構成されるセンシング部２０、マイクロコンピュータ３０、及びバッテリ４０を有する。マイクロコンピュータ３０は、送信タイミング設定部３１、記憶部３２、送信部３３、及びバッテリ監視部３４を有する。なおマイクロコンピュータ３０は、図示しないものの一般的なＭＰＵ（Micro-Processing Unit）、Ａ／Ｄ（Analog/Digital）コンバータ等も適宜備えている。
【００１９】
バッテリ４０は、マウスピース１０の各処理部（センシング部２０、マイクロコンピュータ３０を含む）に電力供給を行う。バッテリ４０は、例えばボタン電池等である。バッテリ４０の電力供給により、マウスピース１０は駆動する。
【００２０】
各センサ２００−１〜２００−ｎは、口腔内の咬み合せの圧力をリアルタイムで測定する。なお、口腔内での各位置での咬み合せの圧力を含む情報を、以下の説明では「咬合状態」と記載する。咬合状態は、口腔内の各位置で検出した圧力と時間が関連付けられたものである。センシング部２０は、被験者の咬合状態を検出してマイクロコンピュータ３０に供給する。センシング部２０は、１つ以上のセンサを有する構成であればよいものの、各歯に対応するセンサが設けられる構成の方が効果が高い。
【００２１】
バッテリ監視部３４は、バッテリ４０の残量を定期的に監視し、バッテリ４０の残量の情報（以下、「バッテリ残量情報」と記載する。）を送信タイミング設定部３１に通知する。
【００２２】
記憶部３２は、マイクロコンピュータ３０内の各種情報を記憶する。記憶部３２は、例えば小型のハードディスクドライブである。記憶部３２は、センシング部２０が測定した咬合状態を測定日時（または取得タイミングを把握できる情報）と関連付けて記憶する。
【００２３】
送信タイミング設定部３１は、送信部３３が咬合状態を送信するタイミングを設定する処理部である。送信タイミング設定部３１には、センシング部２０からの咬合状態と、バッテリ監視部３４からのバッテリ残量情報と、が入力される。以下、送信タイミング設定部３１によるデータ送信タイミングの設定方法について具体例を交えて説明する。
【００２４】
もっとも簡単な例をはじめに述べる。送信タイミング設定部３１は、一定力以上の咬み合せが生じた場合に咬合状態を送信するようにデータ送信タイミングを設定すればよい。これにより、必要最小限のデータ送信が保たれる。
【００２５】
また送信タイミング設定部３１は、例えば送信ルールテーブルと咬合状態を比較することにより送信タイミングを設定してもよい。はじめに図３を参照してセンサ２００−１〜２００−１６が検出する咬合状態について説明する。図３は、マウスピース１０のセンサ２００−１〜２００−１６の埋め込み状態と、センサ２００−１〜２００−１６が検出する咬合状態と、の関係を示す。
【００２６】
図３（Ａ）を参照すると、マウスピース１０は、各歯ｔ１〜ｔ１６にそれぞれ一つのセンサ２００−１〜２００−１６が埋め込まれている。センサ２００−１〜２００−１６は、それぞれ検出した圧力をマイクロコンピュータ３０に通知する。図３（Ｂ）は、各センサ２００−１〜２００−１６が検出した圧力（咬合状態）の例を示す図である。図３（Ｂ）の例では、歯ｔ１については１３０Ｎの圧力が生じ、歯ｔ２については１１０Ｎの圧力が生じている。このように各歯ｔ１〜ｔ１６に生じた圧力は、リアルタイムでマイクロコンピュータ３０に通知される。
【００２７】
図４は、記憶部３２に記憶された送信ルールテーブルの一例である。送信ルールテーブルには、複数の動作モード（一般モード、省電力モード等）が設けられている。被験者は、測定目的（リハビリテーション効果測定、スポーツ効果測定、睡眠に関する測定、等）に応じて適宜マウスピース１０に動作モードを設定できるようにすることが好ましい。被験者は、マウスピース１０の使用前に図示しない操作部や他の装置からの無線通信入力により動作モードを設定する。なお図４はあくまでも一例であり、マウスピース１０は動作モード設定を行わない構成（単一の動作モードで動作する構成）であってもかまわない。
【００２８】
各動作モードでは、咬合状態を送信するタイミングに関するルールが規定されている。例えば一般モードである場合、奥歯（図３（Ａ）の例では歯ｔ１や歯ｔ１６）に２００Ｎ以上の圧力が１秒以上生じた際に送信を行うこと、全ての歯の総圧力が１秒以上１０００Ｎ以上の圧力になった際に送信を行うこと、等が規定されている。一方、省電力モードである場合、奥歯（図３（Ａ）の例では歯ｔ１や歯ｔ１６）に２５０Ｎ以上の圧力が１秒以上生じた際に送信を行うこと、全ての歯の総圧力が１秒以上１２００Ｎ以上の圧力になった際に送信を行うこと、等が規定されている。
【００２９】
なおいずれの動作モードであっても、所定時間連続して送信が行われなかった場合（例えば一般モードの場合に６０秒送信が行われなかった場合）に送信を行うようにするルールが規定されるべきである。これにより、マウスピース１０から送信されるデータが大容量になりすぎることを回避できるとともに、咬合評価装置５０の評価処理が滞る事態を回避できる。
【００３０】
送信タイミング設定部３１は、咬合状態（すなわち歯に生じた圧力の情報）が図４に示すようなルールに合致するかをリアルタイムで評価し、ルールに合致する状態になった場合にデータを送信するタイミング（データ送信タイミング）であると設定する。そして送信タイミング設定部３１は、送信部３３に対してデータ送信の指示を通知する。
【００３１】
なお図４の例では、送信タイミング設定部３１は、どれか一つのルールでも満たす場合（いわゆるＯＲ条件）にはデータ送信タイミングであると設定していたが、２つ以上のルールを同時に満たす場合（いわゆるＡＮＤ条件）にデータ送信タイミングであると設定してもよい。
【００３２】
またデータ送信タイミング設定部３１は、送信部３３に対して「３秒後にデータ送信を行う」等といった時間指定を伴うデータ送信タイミングを設定することも可能である。
【００３３】
送信部３３は、データ送信タイミング設定部３１が設定したデータ送信タイミングに従って、未送信となっている咬合状態のデータを記憶部３２から読み出して咬合評価装置５０に無線送信する。そのため送信部３３は、無線通信規格等を実装した処理部である。
【００３４】
咬合評価装置５０は、マウスピース１０の送信部３３から送信された咬合状態を受信して評価する装置である。咬合評価装置５０は、一般的なサーバ装置やＰＣ（Personal Computer）であればよい。咬合評価装置５０は、ＣＰＵ（Central Processing Unit）、ハードディスクドライブ、キャッシュメモリ等を備えている。
【００３５】
咬合評価装置５０は、受信した咬合状態を種々の手法で評価し、評価結果をユーザに提示（またはハードディスクに格納）する。図５は、咬合評価装置５０の表示する評価結果の画面を示す図である。
【００３６】
図５（Ａ）は、ある時点における口腔内での圧力の大きさをグラフィカルに示した図である。当該画面では、圧力の大きさに応じてドットの色が違うように表示することにより、口腔内での圧力を報知している。
【００３７】
また図５（Ｂ）は、経過時間に応じて各歯（図５（Ｂ）の例では歯ｔ１と歯ｔ７）の圧力の遷移を示している。ユーザは、このグラフを参照することにより歯の位置に応じて圧変化の度合いが異なるか否か等を認識することができる。
【００３８】
続いて本実施の形態にかかるマウスピース１０（口腔用測定装置）の効果について説明する。上述のようにマウスピース１０は、口腔状態を評価し、その評価に従ってデータ送信タイミングを定めている。好適にはマウスピース１０は、所定のルール（口腔状態を評価したほうが良いと思われる条件）を咬合状態が満たす場合にデータ送信を行うように制御している。これにより、必要最小限のデータ送信が行われることになり、バッテリ４０の消耗を最小限に抑えることができる。換言するとデータ送信をすべき時に送信処理をすることができ、かつ最適回数のデータ送信のみが行われることによりバッテリ４０の消耗を抑えつつ確実に咬合状態の評価をできる。
【００３９】
具体的なバッテリ４０の省電力化効果について検討する。現代人の食事の際の咬合回数は約６００回といわれている（非特許文献１）。一般的に食事以外では６００回もの咬み合せが生じることはないが、ここでは６００回の咬み合せが生じるものとする。マウスピース１０は、咬み合せが生じる毎にデータ送信を行うものとする。また比較例（従来例）として１０秒毎に定期的に咬合状態を送信すると想定する。
【００４０】
この場合、比較例では１日に８６４０回（３６００秒×２４時間／１０秒）のデータ送信が生じる。一方、本実施の形態かかるマウスピース１０は、１日に約６００回のデータ送信しか行わない。そのため本実施の形態にかかるマウスピース１０は、比較例と比べて約１４倍（８６４０回／６００回）のバッテリ低消費化を実現することができる。
【００４１】
また送信タイミング設定部３１は、図３に示すように細かなルールが定められたテーブルと咬合状態を比較するようにしてデータ送信タイミングを設定することができる。これにより送信タイミング設定部３１は、詳細かつ正確なデータ送信タイミングの設定を実現することができる。
【００４２】
ここで図３のテーブルには、各動作モードでのルールが設定されている。このように動作モードを考慮してデータ設定タイミングを設定できることにより、送信部３３はマウスピース１０の用途（日常生活で使用しているのか、リハビリテーションの効果確認のために使用しているのか等）に応じた必要最小頻度のデータ送信を行うことができる。
【００４３】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。以下、種々の変形例について説明する。
【００４４】
（変形例１）
上述の説明では、マウスピース１０に複数の動作モードがあるものとして説明したが（図４）、ユーザが所定の咬み合せパターンを行った場合に動作モードが切り替わるようにしてもよい。図６は、咬み合せパターンと動作モードとの関係の一例を示す図である。
【００４５】
例えば送信タイミング設定部３１は、前歯に１０Ｎ以上の圧力が５秒間に５回検出された場合に動作モードを省電力モードに切り替える。被験者は、マウスピース１０を口腔内に装着したまま変更したい動作モードに合わせた咬み合せを行う。なお送信タイミング設定部３１は、咬み合せパターンの検出によって動作モードを切り替えた場合、図示しないマウスピース１０のスピーカによる音出力、振動によるバイブレーション等を介して動作モードの変更をユーザに報知してもよい。
【００４６】
上述の構成により、被験者はマウスピース１０を取り外すことなく簡単な動きで動作モードを切り替えることができる。
【００４７】
（変形例２）
マウスピース１０は、バッテリ４０の残量も考慮してデータ送信タイミングを設定するようにしてもよい。具体例を図７を参照しつつ説明する。
【００４８】
上述のようにバッテリ監視部３４は、バッテリ４０の残量を定期的に監視して、バッテリ残量情報を送信タイミング設定部３１に通知する。送信タイミング設定部３１は、バッテリ残量情報を参照し、バッテリ４０の残量が一定値以上である場合には上述の通りの動作を行う。
【００４９】
送信タイミング設定部３１は、バッテリ４０の残量が一定値以下となった場合、データ送信のための比較に用いる閾値が高くなるように制御する。図７の例において送信タイミング設定部３１はバッテリ残量が３０％以下となった場合、「全ての歯にかかる総圧力が１秒以上１０００Ｎ以上となった場合にデータを送信する」というルールを「全ての歯にかかる総圧力が１秒以上２０００Ｎ以上となった場合にデータを送信する」というルールに変更する。
【００５０】
なお送信タイミング設定部３１は、バッテリ４０の残量が一定値以下となった場合、動作モードを切り替えるように制御してもよい。例えば送信タイミング設定部３１は、バッテリ４０の残量が２０％以下となった場合、動作モードを一般モードから省電力モードに切り替えてもよい。
【００５１】
このようにバッテリ残量に応じてデータ送信タイミングを設定することにより、マウスピース１０はバッテリ４０の残量が少ない場合であっても長時間継続してデータ送信を行うことができる。
【００５２】
（変形例３）
マウスピース１０は、バッテリ４０の残量が少なくなった場合（すなわち所定値以下となった場合）に、被験者等にその旨を報知するように構成されていてもよい。例えばマウスピース１０は、バッテリ残量が３０％以下となった場合、内蔵するスピーカから音声出力すればよい。マウスピース１０は、バッテリ残量が３０％以下となった場合、送信部３３を介して咬合評価装置５０の表示画面上にバッテリ残量の注意喚起を表示してもよい。さらにマウスピース１０は、バッテリ残量が３０％以下となった場合、いわゆるバイブレーション（被験者の口腔内でマウスピースが細かく動くこと）によってバッテリ残量の消耗を通知しても良い。
【００５３】
このようにマウスピース１０がバッテリ残量の消耗を報知することにより、被験者はバッテリ切れとなる前にバッテリ４０を充電／交換するといった対応を行うことができる。
【００５４】
（変形例４）
送信部３３は、送信済みとなった咬合状態のデータを所定のルール（即座に削除、データ容量が一定値以上の場合に古いデータから削除）に従ってマウスピース１０内から削除してもよい。以下、具体例を２つ説明する。
【００５５】
送信部３３は、記憶部３２から咬合状態のデータを読み出して送信するとともに、送信済みとなったデータを記憶部３２から削除してもよい。これにより記憶部３２が容量不足となる状況を回避することができる。
【００５６】
また送信部３３は、記憶部３２のデータ容量が一定値以上となった後に、古いデータから順に必要最小限のデータ量だけ記憶部３２からデータ削除するように構成してもよい。これによりマウスピース１０からも必要なデータが参照できる状態にしつつ、記憶部３２の容量不足を回避することができる。
【００５７】
また上述の送信タイミング設定部３１及び送信部３３の処理は、マウスピース１０内で動作するコンピュータプログラムとして実現することができる。ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５８】
１  咬合評価システム
１０  マウスピース
２０  センシング部
２００−１〜２００−ｎ  センサ
３０  マイクロコンピュータ
３１  送信タイミング設定部
３２  記憶部
３３  送信部
３４  バッテリ監視部
４０  バッテリ
５０  咬合評価装置
【図１】
2016010660.tif 000003
【図２】
2016010660.tif 000004
【図３】
2016010660.tif 000005
【図４】
2016010660.tif 000006
【図５】
2016010660.tif 000007
【図６】
2016010660.tif 000008
【図７】
2016010660.tif 000009